(57)【特許請求の範囲】
【請求項１】
内腔を有する外管と、
前記外管の内腔に配置される内側シャフトと、
前記内側シャフトの先端側および前記外管の先端側に固定されて内部に液体が流入することで拡張可能な拡張部と、を有し、
前記拡張部の内腔に配置された前記内側シャフトの外周面に、前記液体に溶出可能なＸ線造影性材料を含む被覆部が形成され、
前記内側シャフトは、前記拡張部の内腔に軸方向に離れて配置されるＸ線造影性を備えた２つの造影マーカーを有し、
前記被覆部は、軸方向において一方の前記造影マーカーから他方の前記造影マーカーまでの範囲内に被覆されるバルーンカテーテル。
【請求項２】
前記拡張部の外周面に搭載されるステントを更に有する請求項１に記載のバルーンカテーテル。
【発明の詳細な説明】
【技術分野】
【０００１】
本発明は、血管等の生体管腔内で拡張可能な拡張部を有するバルーンカテーテルに関するものである。
【背景技術】
【０００２】
近年、例えば心筋梗塞や狭心症の治療では、冠動脈の病変部（狭窄部）を、血管内で拡張可能なバルーン（拡張部）を備えるバルーンカテーテルによりに押し広げたり、バルーンに搭載されたステントを押し広げた血管内に留置して、冠動脈内の空間を確保する方法が行われている。
【０００３】
バルーンカテーテルに設けられるバルーンの拡張および収縮は、カテーテルに接続されるインデフレータ等により行われる。インデフレータ等によって流体を供給することで、カテーテル内のルーメンを介してバルーン内に造影剤が流入するとバルーンが拡張し、ルーメンを介してバルーン内から造影剤を排出することで、バルーンが収縮する。そして、バルーンを拡張させるための流体に造影剤を用いることで、バルーンの位置および拡張状態を、Ｘ線透視下で確認しつつ、手技を行うことが可能である（例えば、特許文献１を参照）。
【先行技術文献】
【特許文献】
【０００４】
【特許文献１】特開２０１３−１１１２６４号公報
【発明の概要】
【発明が解決しようとする課題】
【０００５】
バルーンを拡張させるための造影剤は、生理食塩水等と比較して、粘度が高い。このため、細いカテーテル内のルーメンを流通させる際には、バルーンを拡張させるまでに時間がかかる。バルーンの拡張に時間がかかると、手技の応答性が低下するため、手技の精度が低下する可能性があり、生体への負担も増加する。
【０００６】
本発明は、上述した課題を解決するためになされたものであり、液体の流入により拡張する拡張部の拡張を迅速に行うことができ、手技の精度を向上させることが可能となるとともに生体への負担を低減できるバルーンカテーテルを提供することを目的とする。
【課題を解決するための手段】
【０００７】
上記目的を達成するバルーンカテーテルは、内腔を有する外管と、前記外管の内腔に配置される内側シャフトと、前記内側シャフトの先端側および前記外管の先端側に固定されて内部に液体が流入することで拡張可能な拡張部と、を有し、前記拡張部の内腔に配置された前記内側シャフトの外周面に、液体に溶出可能なＸ線造影性材料を含む被覆部が形成され、前記内側シャフトは、前記拡張部の内腔に軸方向に離れて配置されるＸ線造影性を備えた２つの造影マーカーを有し、前記被覆部は、軸方向において一方の前記造影マーカーから他方の前記造影マーカーまでの範囲内に被覆される。
【発明の効果】
【０００８】
上記のように構成したバルーンカテーテルは、拡張部へ流入する液体に、被覆部に含まれるＸ線造影性材料を溶出させて造影性を持たせることができるため、生理食塩水等の粘度が低く流通性の高い液体を用いてバルーンの拡張を迅速に行うことが可能となる。また、本発明に係るバルーンカテーテルは、バルーンの造影に使用する造影剤が少量で済むため、バルーン拡張後に行うバルーンの収縮も迅速に行うことが可能となる。このため、バルーンを用いた手技の応答性が高まり、手技の精度を向上させることが可能となるとともに、生体への負担を低減できる。
【０００９】
前記内管は、前記拡張部の内腔に軸方向に離れて配置される造影性を備えた２つの造影マーカーを有し、前記被覆部は、軸方向において一方の前記造影マーカーから他方の前記造影マーカーまでの範囲内に被覆されるため、被覆部を設けても、造影マーカーの軸方向の端部をＸ線透視下で容易に確認でき、操作性が高い。
【００１０】
上記バルーンカテーテルは、前記拡張部の外周面に搭載されるステントを更に有するようにすれば、バルーンの拡張が、通常、ステントを留置するための１回に限定される。このため、ステントを備えたバルーンカテーテルは、バルーンを繰り返し拡張させることによる被覆部の消滅を考慮する必要がないため、溶出する被覆部を備えた構成を適用しやすい。
【図面の簡単な説明】
【００１１】
【図１】本発明の実施形態に係るバルーンカテーテルを示す平面図である。
【図２】バルーンを拡張させる前のバルーンカテーテルの先端部を示す断面図である。
【図３】バルーンを拡張させた状態のバルーンカテーテルの先端部を示す断面図である。
【発明を実施するための形態】
【００１２】
以下、図面を参照して、本発明の実施の形態を説明する。なお、図面の寸法比率は、説明の都合上、誇張されて実際の比率とは異なる場合がある。
【００１３】
本実施形態に係るバルーンカテーテル１０は、いわゆるラピッドエクスチェンジ型のカテーテルであり、図１、２に示すように、長尺なカテーテル本体部２０と、カテーテル本体部２０の先端部に設けられるバルーン３０と、カテーテル本体部２０の基端に固着されたハブ４０と、カテーテル本体部２０およびハブ４０の接続部に設けられる耐キンクチューブ５０とを有している。なお、本明細書では、生体管腔に挿入する側を「先端」若しくは「先端側」、操作する手元側を「基端」若しくは「基端側」と称することとする。
【００１４】
カテーテル本体部２０は、基端側がハブ４０に固着される管状の基端シャフト６０と、基端シャフト６０の先端側を覆う管状の中間シャフト７０と、中間シャフト７０の先端側に設けられる管状の先端シャフト８０（外管）と、先端シャフト８０の内部に配置される管状の内管９０（内側シャフト）と、親水性のＸ線造影性材料（Ｘ線による造影性を備える材料）を含む被覆部９３とを備えている。基端シャフト６０、中間シャフト７０および先端シャフト８０の内部には、バルーン３０を拡張させるための拡張用流体が流通する拡張用ルーメン８１が形成されている。
【００１５】
内管９０は、先端シャフト８０及びバルーン３０の内部を同軸状に貫通する内管シャフト９５と、バルーン３０の内部の内管シャフト９５の外周面に配置されるＸ線造影性を備えた２つの造影マーカー９２とを備えている。内管シャフト９５の先端部は、バルーン３０の先端よりも先端方向へ延在しており、バルーン３０の先端側と液密性を保った状態で接合されている。一方、内管シャフト９５の基端は、中間シャフト７０の外周方向における一部（側面に形成された側口）に液密性を保った状態で固着されており、この内管シャフト９５の基端開口が中間シャフト７０の外部に露出して、ガイドワイヤ開口部７１を構成している。この内管シャフト９５の先端からガイドワイヤ開口部７１にかけての内部空間がガイドワイヤルーメン９１となっており、ガイドワイヤは内管シャフト９５の先端開口を入口とし、ガイドワイヤ開口部７１を出口として、内管シャフト９５内に挿通される。なお、ガイドワイヤ開口部７１は、中間シャフト７０ではなく、基端シャフト６０または先端シャフト８０に設けられてもよく、また中間シャフト７０と先端シャフト８０の境界部（接合部）に設けられてもよい。
【００１６】
先端シャフト８０、内管シャフト９５および中間シャフト７０の構成材料は、特に限定されないが、例えばポリオレフィン（例えば、ポリエチレン、ポリプロピレン、ポリブテン、エチレン−プロピレン共重合体、エチレン−酢酸ビニル共重合体、アイオノマー、またはこれら二種以上の混合物など）、ポリオレフィンの架橋体、ポリ塩化ビニル、ポリアミド、ポリアミドエラストマー、ポリエステル、ポリエステルエラストマー、ポリウレタン、ポリウレタンエラストマー、フッ素樹脂、ポリイミドなどの高分子材料またはこれらの混合物などを好適に使用できる。
【００１７】
基端シャフト６０の構成材料は、比較的剛性の高い材質であることが好ましく、例えばＮｉ−Ｔｉ、真鍮、ＳＵＳ、アルミ等の金属や、ポリイミド、塩化ビニル、ポリカーボネート等の樹脂を好適に使用できる。
【００１８】
２つの造影マーカー９２は、バルーン３０の内部の内管シャフト９５の外周面に、軸方向に離れて並んで配置される。先端側の造影マーカー９２は、造影マーカー９２の先端部が、バルーン３０に留置されるステント１００の先端側の端部よりも先端側に配置される。また、基端側の造影マーカー９２は、造影マーカーの基端部９２が、バルーン３０に留置されるステント１００の基端側の端部よりも基端側に配置される。このため、造影マーカー９２をＸ線透視下で観察することで、ステント１００が存在する範囲を容易に特定することができ、手技がより容易なものとなる。
【００１９】
造影マーカー９２は、Ｘ線造影性材料により形成されるワイヤを内管シャフト９５の外面に巻きつけること、もしくはＸ線造影性材料によりパイプを形成して内管シャフト９５の外面にかしめる又は接着することにより取り付けられる。
【００２０】
また、造影マーカー９２として、内管シャフト９５の材料中に、Ｘ線造影性材料が含まれて形成されていてもよい。造影マーカー９２に使用されるＸ線造影性材料としては、例えば、金、プラチナ、プラチナ−イリジウム合金、銀、ステンレス、モリブデン、タングステン、タンタル、パラジウムあるいはそれらの合金等が好適である。
【００２１】
被覆部９３は、内管シャフト９５の外周面の２つの造影マーカー９２の間に、水溶性（親水性）のＸ線造影性材料を被覆して形成される。被覆部９３を形成する方法は、例えば、浸漬法（ディッピング法）やブラシ等で塗布する方法が挙げられる。浸漬法では、内管９０の製造段階において、内管９０の被覆部９３により被覆される範囲以外をマスキングし、内管９０の形状を維持するために、内管９０の内部に芯金を通して、Ｘ線造影性材料を溶かした溶液に浸漬させる。この後、例えば３０秒程度経過した後に溶液から引き上げ、例えば１時間程度乾燥させる。この後、マスキングを取り除くと、Ｘ線造影性材料を含む溶液が乾燥して被覆部９３が被覆された内管９０が形成される。
【００２２】
また、ブラシで塗布する方法では、内管９０の製造段階において、内管９０の被覆部９３により被覆される範囲に、Ｘ線造影性材料を溶かした溶液に浸漬させたブラシを接触させて、内管９０の目的の位置に溶液を付着させる。この後、例えば１時間程度乾燥させと、被覆部９３が被覆された内管９０が形成される。
【００２３】
被覆部９３に含まれる水溶性（親水性）のＸ線造影性材料は、Ｘ線により識別されるものであって、血管内投与可能なものであり、例えば、分子量が約８０００以下、イオン性又は非イオン性のヨウ素原子を含む化合物である。具体例を挙げると、イオプロミド、イオパミドール、イオメプロール、アミドトリゾ酸、イオヘキソール、イオタラム酸、ヨーダミド、メトリゾ酸、メトリザミド、イオキシラン等の単量体、および、イオキサグル酸、アジピオドン、イオトロクス酸、ヨードキサム酸、イオトロラン、等の二量体などが挙げられるが、これらに限定されるものではない。
【００２４】
被覆部９３に含まれる水溶性のＸ線造影性材料の量は、拡張したバルーン３０内に溶出した際に、適切なＸ線造影性を備えるように決定されることが好ましい。一例として、拡張時の筒状部３１の外径が３ｍｍ、軸方向長さが１８ｍｍのバルーン３０の場合、バルーン３０の体積の大部分を占める筒状部３１の内部の体積の概算値は、０．１２７ｍＬである。そして、この体積内を、例えば非イオン性Ｘ線造影剤であってイオキシランを含むイマジニール（登録商標）３５０（ヨード含有量３５０ｍｇ／ｍＬ）で占めたと仮定した場合に必要なヨウ素量は、約４４．５ｍｇである。内管シャフト９５の外径が０．５６ｍｍ、２つの造影マーカー９２の間の長さが１７ｍｍの場合、被覆部９３が被覆される範囲の内管シャフト９５の表面積は、約２９．９ｍｍ２である。したがって、内管シャフト９５の外表面の単位面積（１ｍｍ２）当たりのヨウ素の被覆量は、約１．５ｍｇ／ｍｍ２である。
【００２５】
ハブ４０は、カテーテル本体部２０の拡張用ルーメン８１と連通して拡張用流体を流入出させるポートとして機能する基端開口部４１を備えており、基端シャフト６０と液密性を保った状態で固定されている。
【００２６】
耐キンクチューブ５０は、ハブ４０の先端付近における基端シャフト６０のキンク（折れ曲がり）を防止するために、基端シャフト６０の外側に載置されている。
【００２７】
バルーン３０は、図２、３に示すように、拡張することで狭窄部を押し広げるものであり、かつ、バルーン３０の外周に搭載されるステント１００を塑性変形させつつ押し広げて、狭窄部に留置するものである。バルーン３０は、所定の範囲を効率よく押し広げられるよう、軸方向中央部に略円筒状で形成されてほぼ同一径の筒状部３１を有している。バルーン３０の筒状部３１の先端側には、先端側へ向かって径がテーパ状に縮小して形成される第１の縮径部３２が設けられ、基端側には、基端側へ向かって径がテーパ状に縮小して形成される第２の縮径部３３が設けられている。
【００２８】
第１の縮径部３２の先端側は、内管９０の外壁面に液密性を保った状態で接合されており、第２の縮径部３３の基端側は、先端シャフト８０の先端部の外壁面に液密性を保った状態で接合されている。したがって、バルーン３０の内部は、カテーテル本体部２０に形成される拡張用ルーメン８１と連通し、この拡張用ルーメン８１を介して、基端側から拡張用流体を流入可能となっている。バルーン３０は、拡張用流体の流入により拡張し、流入した拡張用流体を排出することにより折り畳まれた状態となる。
【００２９】
バルーン３０の構成材料は、ある程度の可撓性を有する材料により形成されることが好ましく、そのような材料としては、例えば、ポリエチレン、ポリプロピレン、ポリブテン、エチレン−プロピレン共重合体、エチレン−酢酸ビニル共重合体、アイオノマー、あるいはこれら二種以上の混合物等のポリオレフィンや、軟質ポリ塩化ビニル樹脂、ポリアミド、ポリアミドエラストマー、ポリエステル、ポリエステルエラストマー、ポリウレタン、フッ素樹脂等の熱可塑性樹脂、シリコーンゴム、ラテックスゴム等が使用できる。
【００３０】
バルーン３０を拡張させるための拡張用流体は、水を含む液体であり、例えば、生理食塩水、造影剤、造影剤を生理食塩水で薄めたもの等を好適に適用できる。
【００３１】
ステント１００は、いわゆるバルーン拡張型ステントであり、線状の構成要素により構成されて、全体として隙間を有する筒形状に形成される。ステント１００は、収縮したバルーン３０の筒状部３１の外周面に装着（マウント）され、バルーン３０の拡張により、線状の構成要素の間の隙間が広がるように塑性変形しつつ拡張する。
【００３２】
ステント１００の構成材料は、生体適合性を有する金属が好ましく、例えば、ステンレス鋼等の鉄ベース合金、タンタル（タンタル合金）、プラチナ（プラチナ合金）、金（金合金）、コバルトクロム合金等のコバルトベース合金、チタン合金、ニオブ合金等が挙げられる。
【００３３】
次に、本実施形態に係るバルーンカテーテル１０の使用方法を、血管に挿入して使用する場合を例として説明する。拡張用流体には、生理食塩水を用いる。
【００３４】
まず、血管の狭窄部を治療する前に、バルーンカテーテル１０内の空気をできる限り抜き取り、生理食塩水に置換しておく。このとき、バルーン３０は、折り畳まれた状態となっている。
【００３５】
次に、患者の血管に、例えばセルジンガー法によりシースを留置し、ガイドワイヤルーメン９１内にガイドワイヤを挿通させた状態で、ガイドワイヤおよびバルーンカテーテル１０をシースの内部より血管内へ挿入する。続いて、ガイドワイヤを先行させつつバルーンカテーテル１０を進行させ、バルーン３０を狭窄部へ到達させる。そして、直線的に並ぶ造影マーカー９２および被覆部９３を、Ｘ線透視下で観察しつつ、バルーン３０およびステント１００を所望の位置に配置する。バルーンカテーテル１０は、バルーン３０自体が造影性の材料を含まず柔軟であるため、血管内で良好な通過性を発揮する。また、バルーン３０自体にＸ線造影性材料が含まれないため、バルーン３０にステント１００を配置した際に、バルーン３０に阻害されずにステント１００（特に、ステント１００の軸方向の端部）をＸ線透視下で確認することが容易となり、ステント１００を正確な位置に導くことができる。
【００３６】
次に、バルーン３０が狭窄部に位置した状態で、ハブ４０の基端開口部４１より、インデフレータ、シリンジ、またはポンプ等を用いて拡張用流体である生理食塩水を所定量注入し、拡張用ルーメン８１を通じてバルーン３０の内部に拡張用流体を送り込み、折り畳まれたバルーン３０を拡張させる。これにより、バルーン３０の筒状部３１に接するステント１００を塑性変形させつつ押し広げ、狭窄部をステント１００によって押し広げた状態で良好に維持することができる。バルーン３０を拡張させる際には、造影マーカー９２をＸ線透視下で確認しつつ、ステント１００の位置を決定するが、先端側の造影マーカー９２よりも先端側に被覆部９３が形成されず、かつ基端側の造影マーカー９２よりも基端側に被覆部９３が形成されていないため、境界が明確となり、先端側の造影マーカー９２の先端部と、基端側の造影マーカー９２の基端部を、Ｘ線透視下で正確に確認できる。このため、バルーン３０の筒状部３１および先端側の造影マーカー９２と基端側の造影マーカー９２の間に配置されたステント１００の位置を正確に把握でき、狭窄部の望ましい位置にステント１００を留置することができる。
【００３７】
そして、拡張用流体である生理食塩水がバルーン３０内に流入すると、水溶性のＸ線造影性材料により構成される被覆部９３が生理食塩水に溶出する。これにより、バルーン３０内が、Ｘ線造影性材料を含む水溶液で満たされ、バルーン３０の形状をＸ線透視下で正確に確認することができ、望ましい位置にステント１００を留置することができる。そして、使用するＸ線造影性材料の量が、拡張用流体に造影剤を利用する場合と比較して減少するため、コストを削減でき、かつ、Ｘ線造影性材料が体内へ洩れた際にも、生体への影響を極力低減することができる。
【００３８】
そして、拡張用ルーメン８１を流通する流体は、生理食塩水であり、造影剤と比較して粘度が低い。このため、造影剤を流通させる場合と比較して、狭い拡張用ルーメン８１を介してバルーン３０まで拡張用流体を迅速に搬送でき、バルーン３０によってステント１００を留置する処置を迅速に行うことが可能となる。
【００３９】
なお、バルーン３０内でＸ線造影性材料が溶出した水溶液は、粘度が上昇するため、バルーン３０内から拡張用ルーメン８１内の生理食塩水へは拡散し難くなり、バルーン３０内でＸ線造影性を十分に維持することができる。このため、使用するＸ線造影性材料の量を極力減少させることができ、コストを削減でき、かつ、Ｘ線造影性材料が体内へ洩れた際にも、生体への影響を極力低減することができる。
【００４０】
この後、拡張用流体を基端開口部４１より吸引して排出し、バルーン３０を収縮させて折り畳まれた状態とする。ステント１００は、塑性変形して拡張した状態のまま狭窄部に留置され、狭窄部を押し広げた状態を維持する。この後、シースを介して血管よりガイドワイヤおよびカテーテル本体部２０を抜去し、手技が終了する。
【００４１】
以上のように、本実施形態に係るバルーンカテーテル１０は、内腔を有する先端シャフト８０（外管）と、先端シャフト８０の内腔に配置される内管９０（内側シャフト）と、内管９０の先端側および先端シャフト８０の先端側に固定されて内部に液体が流入することで拡張可能なバルーン３０（拡張部）と、を有し、バルーン３０の内腔に配置された内管９０の外周面に、液体に溶出可能なＸ線造影性材料を含む被覆部９３が形成される。上記のように構成したバルーンカテーテル１０は、拡張部３０の内部に流入する液体に、被覆部９３に含まれるＸ線造影性材料を溶出させて造影性を持たせることができるため、粘度が高く流通性が低いＸ線造影剤をバルーン３０の拡張に使用する必要がなくなる。このため、生理食塩水等の粘度が低く流通性の高い液体を用いて、バルーン３０の拡張を迅速に行うことが可能となる。また、上記のように構成したバルーンカテーテル１０は、被覆部９３に含まれるＸ線造影材料を溶出させて造影性を持たせることができるため、少量の造影剤でバルーンに造影性を持たせることができる。このため、生理食塩水等の粘度が低く流通性の高い液体を用いてバルーンを拡張した際、バルーンの拡張に使用した液体の粘度を低く保つことができ、バルーン拡張後に行うバルーンの収縮も迅速に行うことが可能となる。これらにより、バルーン３０を用いた手技の応答性が高まり、手技の精度を向上させることが可能となるとともに、生体への負担を低減できる。更に、粘度が高い造影剤をバルーン３０の拡張のために供給する必要がないため、万が一供給する液体が体内へ洩れても、生体への負担を低減できる。
【００４２】
また、内管９０（内側シャフト）は、バルーン３０（拡張部）の内腔に軸方向に離れて配置される造影性を備えた２つの造影マーカー９２を有し、被覆部９３は、軸方向において一方の造影マーカー９２から他方の造影マーカー９２までの範囲内に被覆されるため、被覆部９３を設けても、造影マーカー９２の軸方向の端部をＸ線透視下で容易に確認でき、操作性が高い。なお、内管９０に被覆される水溶性のＸ線造影性材料から構成される被覆部は、バルーン３０内であれば、２つの造影マーカー９２の間に限定されない。したがって、例えば、被覆部は、内管９０を構成する造影マーカー９２の外周面に被覆されてもよい。また、バルーン３０内に位置する内管９０の外周面の全体に、被覆部が被覆されてもよい。
【００４３】
また、上記のバルーンカテーテル１０は、バルーン３０（拡張部）の外周面に搭載されるステント１００を有するため、バルーン３０の拡張が、通常、ステント１００を留置するための１回に限定される。このため、ステント１００を備えたバルーンカテーテル１０は、バルーン３０を繰り返し拡張させることによる被覆部９３の消滅を考慮する必要がないため、溶出する被覆部９３を備えた構成を適用しやすい。
【００４４】
また、バルーン３０自体にＸ線造影性を付与する構成と比較して、バルーン３０にステント１００を配置した際に、バルーン３０に阻害されずにステント１００（特に、ステント１００の軸方向の端部）をＸ線透視下で確認することが容易となり、ステント１００を正確な位置に留置することが可能となる。
【００４５】
なお、本発明は、上述した実施形態のみに限定されるものではなく、本発明の技術的思想内において当業者により種々変更が可能である。例えば、本実施形態に係るバルーンカテーテル１０は、ラピッドエクスチェンジ型のバルーンカテーテルであるが、ガイドワイヤルーメンがカテーテルの先端部からハブ部まで形成されるオーバーザワイヤ型のバルーンカテーテルであってもよい。また、バルーンカテーテルは、バルーンにステントが搭載されずに、バルーンのみで狭窄部を拡張させるカテーテルであってもよい。
【００４６】
また、拡張用流体は、造影剤や、造影剤を生理食塩水で薄めたものであってもよい。拡張用流体が造影剤を含む場合には、被覆部９３から溶出するＸ線造影性材料によってバルーン３０内でＸ線造影性材料の濃度が高くなり、バルーン３０をＸ線透視下でより確実に確認することが可能となる。
【００４７】
また、バルーンカテーテル１０を挿入する生体管腔は、血管に限定されず、例えば、脈管、尿管等であってもよい。
【００４８】
また、バルーン３０の先端部が固着される内側シャフトは、管体（内管）ではなく中実構造であってもよい。
【符号の説明】
【００４９】
１０    バルーンカテーテル、
３０    バルーン（拡張部）、
３１    筒状部、
３２    縮径部、
３３    縮径部、
８０    先端シャフト（外管）、
８１    拡張用ルーメン、
９０    内管（内側シャフト）、
９２    造影マーカー、
９３    被覆部、
１００    ステント。
【図１】
0006475528.tif 000002
【図２】
0006475528.tif 000003
【図３】
0006475528.tif 000004